(57)【要約】【課題】  本発明の目的は、カードを贈る側のユーザが、付加画像を自由に作成するための画像作成用プログラム、画像作成方法および情報処理装置を提供することにある。【解決手段】  本発明の画像作成用プログラムは、コンピュータに、記憶機能と、画像入力受付機能と、記憶機能により記憶された基本画像、および、画像入力受付機能により受け付けられた合成用画像を合成して付加画像を作成する付加画像作成機能とを実現させ、付加画像は、対象物を所定の端末の撮像装置で撮影した際に、該端末の表示画面に、該撮影された対象物に重ねて表示されるものであることを特徴とする。【選択図】  図２
2017085275.tif 000002
【特許請求の範囲】
【請求項１】
コンピュータに、
基本画像を記憶する記憶機能と、
１以上のユーザのユーザ端末からの合成用画像の入力を受け付ける画像入力受付機能と、
前記記憶機能により記憶された基本画像、および、前記画像入力受付機能により受け付けられた合成用画像を合成して付加画像を作成する付加画像作成機能と
を実現させ、
前記付加画像は、対象物を所定の端末の撮像装置で撮像した際に、該端末の表示画面に、該撮影された対象物に重ねて表示されるものである画像作成用プログラム。
【請求項２】
前記付加画像作成機能は、前記付加画像を動画として作成することを特徴とする請求項１に記載の画像作成用プログラム。
【請求項３】
前記画像作成用プログラムは、さらに、コンピュータに、
前記付加画像が前記対象物に重ねて表示される際に流れる音声を作成する付加音声作成機能を実現させることを特徴とする請求項１または２に記載の画像作成用プログラム。
【請求項４】
前記合成用画像が二次元画像であり、
前記付加画像作成機能は、さらに、前記二次元画像を三次元画像にする三次元化処理を行うことを特徴とする請求項１〜３のいずれか一項に記載の画像作成用プログラム。
【請求項５】
前記ユーザが複数であり、
前記画像作成用プログラムは、さらに、コンピュータに、
前記複数のユーザが互いに意思伝達を行うことができるチャット機能を実現させることを特徴とする請求項１〜４のいずれか一項に記載の画像作成用プログラム。
【請求項６】
前記基本画像は、前記ユーザのアバターであることを特徴とする請求項１〜５のいずれか一項に記載の画像作成用プログラム。
【請求項７】
前記基本画像は、１以上の所定のテーマを有する背景画像を含むことを特徴とする請求項１〜６のいずれか一項に記載の画像作成用プログラム。
【請求項８】
前記付加画像作成機能は、さらに、前記合成用画像を、合成対象である背景画像が有するテーマに基づいて変化させることを特徴とする請求項７に記載の画像作成用プログラム。
【請求項９】
前記画像作成用プログラムは、さらに、コンピュータに、
前記ユーザによる、前記所定のテーマからの一のテーマの選択を受け付けるテーマ選択受付機能を実現させ、
前記付加画像作成機能は、前記テーマ選択受付機能により受け付けられた一のテーマを有する背景画像、および、前記画像入力受付機能により受け付けられた合成用画像を合成して付加画像を作成することを特徴とする請求項７または８に記載の画像作成用プログラム。
【請求項１０】
前記対象物は、前記ユーザから対象のユーザに贈られるものであり、
前記画像作成用プログラムは、さらに、コンピュータに、
前記ユーザおよび前記対象ユーザが互いに意思伝達を行うことができるチャット機能を実現させることを特徴とする請求項１〜９のいずれか一項に記載の画像作成用プログラム。
【請求項１１】
前記所定の端末は、スマートデバイスであることを特徴とする請求項１〜１０のいずれか一項に記載の画像作成用プログラム。
【請求項１２】
前記所定の端末は、ヘッドマウントディスプレイであることを特徴とする請求項１〜１０のいずれか一項に記載の画像作成用プログラム。
【請求項１３】
前記対象物は、印刷物であることを特徴とする請求項１〜１２のいずれか一項に記載の画像作成用プログラム。
【請求項１４】
前記印刷物は、グリーティングカードであることを特徴とする請求項１３に記載の画像作成用プログラム。
【請求項１５】
前記印刷物は、絵本であることを特徴とする請求項１３に記載の画像作成用プログラム。
【請求項１６】
前記印刷物は、ポスターであることを特徴とする請求項１３に記載の画像作成用プログラム。
【請求項１７】
画像入力受付手段が、１以上のユーザのユーザ端末からの合成用画像の入力を受け付ける画像入力受付ステップと、
付加画像作成手段が、記憶手段により記憶された基本画像、および、前記画像入力受付ステップにおいて受け付けられた合成用画像を合成して付加画像を作成する付加画像作成ステップと
を備え、
前記付加画像は、対象物を所定の端末の撮像装置で撮影した際に、該端末の表示画面に、該撮影された対象物に重ねて表示されるものである画像作成方法。
【請求項１８】
基本画像を記憶する記憶部と、
１以上のユーザのユーザ端末からの合成用画像の入力を受け付ける画像入力受付部と、
前記記憶部により記憶された基本画像、および、前記画像入力受付部により受け付けられた合成用画像を合成して付加画像を作成する付加画像作成部と
を備え、
前記付加画像は、対象物を所定の撮像装置で撮影した際に、該端末の表示画面に、該撮影された対象物に重ねて表示されるものである情報処理装置。
【発明の詳細な説明】
【技術分野】
【０００１】
本発明は、画像作成用プログラム、画像作成方法および情報処理装置に関し、特に、ＡＲ技術を利用して現実の対象物に付加するための付加画像を作成するための画像作成用プログラム、画像作成方法および情報処理装置に関する。
【背景技術】
【０００２】
近年、現実の世界に付加的な情報を重畳してユーザに提示する拡張現実（ＡＲ：Ａｕｇｍｅｎｔｅｄ  Ｒｅａｌｉｔｙ）と呼ばれる技術が注目されている。例えば、特許文献１には、ＡＲ技術を利用して、第２のユーザが、第１のユーザの視界に映るものに対してコメントを加えたり、第１のユーザに対して情報を提供したりすることにより、ユーザに適切な情報を提供するための技術が開示されている。
【先行技術文献】
【特許文献】
【０００３】
【特許文献１】特開２０１５−０９５１４７
【発明の概要】
【発明が解決しようとする課題】
【０００４】
このような技術は、スマートフォンなどの多機能端末の普及に伴い、上記特許文献１に記載されたような高度な機器を用いた特定のユーザが体験するのみならず、一般のユーザでも手軽に体験することができるようになってきている。
【０００５】
例えば、紙等で作製された現実のグリーティングカードに、ＡＲ技術を利用して付加情報を付加する技術が知られている。
【０００６】
しかしながら、上記技術は、グリーティングカードの作成者によって予め作成された付加情報が提供されるものであり、カードを贈る側のユーザが自由に付加情報をカスタマイズできるものではなかった。
【０００７】
したがって、本発明の目的は、ユーザが、付加画像を自由に作成するための画像作成用プログラム、画像作成方法および情報処理装置を提供することにある。
【課題を解決するための手段】
【０００８】
本発明の画像作成用プログラムは、コンピュータに、基本画像を記憶する記憶機能と、１以上のユーザのユーザ端末からの合成用画像の入力を受け付ける画像入力受付機能と、記憶機能により記憶された基本画像、および、画像入力受付機能により受け付けられた合成用画像を合成して付加画像を作成する付加画像作成機能とを実現させ、付加画像は、対象物を所定の端末の撮像装置で撮像した際に、該端末の表示画面に、該撮影された対象物に重ねて表示されるものであることを特徴とする。
【０００９】
上記付加画像作成機能は、付加画像を動画として作成することができる。
【００１０】
上記画像作成用プログラムは、さらに、コンピュータに、付加画像が対象物に重ねて表示される際に流れる音声を作成する付加音声作成機能を実現させることができる。
【００１１】
上記合成用画像が二次元画像であり、付加画像作成機能は、さらに、二次元画像を三次元画像にする三次元化処理を行うことができる。
【００１２】
上記ユーザが複数であり、画像作成用プログラムは、さらに、コンピュータに、複数のユーザが互いに意思伝達を行うことができるチャット機能を実現させることができる。
【００１３】
上記基本画像は、ユーザのアバターとすることができる。
【００１４】
上記基本画像は、１以上の所定のテーマを有する背景画像を含むことができる。
【００１５】
上記付加画像作成機能は、さらに、合成用画像を、合成対象である背景画像が有するテーマに基づいて変化させることができる。
【００１６】
上記画像作成用プログラムは、さらに、コンピュータに、ユーザによる、所定のテーマからの一のテーマの選択を受け付けるテーマ選択受付機能を実現させ、付加画像作成機能は、テーマ選択受付機能により受け付けられた一のテーマを有する背景画像、および、画像入力受付機能により受け付けられた合成用画像を合成して付加画像を作成することができる。
【００１７】
上記対象物は、ユーザから対象のユーザに贈られるものであり、画像作成用プログラムは、さらに、コンピュータに、ユーザおよび対象ユーザが互いに意思伝達を行うことができるチャット機能を実現させることができる。
【００１８】
上記所定の端末は、スマートデバイスとすることができる。
【００１９】
上記所定の端末は、ヘッドマウントディスプレイとすることができる。
【００２０】
上記対象物は、印刷物とすることができる。
【００２１】
上記印刷物は、グリーティングカードとすることができる。
【００２２】
上記印刷物は、絵本とすることができる。
【００２３】
上記印刷物は、ポスターとすることができる。
【００２４】
本発明の画像作成方法は、画像入力受付手段が、１以上のユーザのユーザ端末からの合成用画像の入力を受け付ける画像入力受付ステップと、付加画像作成手段が、記憶手段により記憶された基本画像、および、画像入力受付ステップにおいて受け付けられた合成用画像を合成して付加画像を作成する付加画像作成ステップとを備え、付加画像は、対象物を所定の端末の撮像装置で撮影した際に、該端末の表示画面に、該撮影された対象物に重ねて表示されるものであることを特徴とする。
【００２５】
本発明の情報処理装置は、基本画像を記憶する記憶部と、１以上のユーザのユーザ端末からの合成用画像の入力を受け付ける画像入力受付部と、記憶部により記憶された基本画像、および、画像入力受付部により受け付けられた合成用画像を合成して付加画像を作成する付加画像作成部とを備え、付加画像は、対象物を所定の撮像装置で撮影した際に、該端末の表示画面に、該撮影された対象物に重ねて表示されるものであることを特徴とする。
【発明の効果】
【００２６】
本発明の画像作成プログラム、画像作成方法および情報処理装置によれば、記憶部により記憶された基本画像、および、画像入力受付部により受け付けられた合成用画像を合成して付加画像を作成する付加画像作成機能を実現することにより、ユーザが、付加画像を自由にカスタマイズすることができるようになる。
【図面の簡単な説明】
【００２７】
【図１】本発明の情報処理装置のシステム構成図を示す
【図２】本発明により提供されるサービスの一例を説明するための模式図を示す
【図３】本発明の情報処理装置の模式的なブロック図の一例を示す
【図４】本発明における付加画像作成画面およびチャット機能を説明するための模式図を示す
【図５】本発明における基本画像と合成用画像の合成方法を説明するための模式図を示す
【図６】本発明におけるチャット機能を説明するための模式図を示す
【図７】本発明における付加画像の再生方法を説明するための模式図を示す
【図８】本発明の画像作成方法のフローを説明するためのフローチャートを示す
【発明を実施するための形態】
【００２８】
本発明の画像処理プログラム、画像処理方法および情報処理装置の実施形態について、図面を参照しながら詳細に説明する。なお、本実施形態では、図１に示すように、本発明のプログラムが、ユーザの端末２００とネットワーク３００を介して接続される情報処理装置１００（サーバ）において、本発明のプログラムが実行される例を挙げて説明を行う。
【００２９】
図２は、本発明のプログラムにより実行されるアプリケーションを用いた一例であるグリーティングカードサービスの概要を説明するための模式図である。
【００３０】
図２は、１以上のユーザＵ１〜Ｕ４が、対象のユーザＵ５に対してグリーティングカードを贈る場合を想定して描かれたものである。初めに、ユーザＵ１〜Ｕ５は、各々の端末からアプリを起動して自分の顔写真等をサーバにアップロードする。サーバでは、アップロードされた顔写真等と、予め選択されたテーマを有する背景画像とを合成して、付加画像を作成する。ユーザＵ１〜Ｕ４はチャットによりメッセージを送受信しながら、上記顔写真のアップロードやテーマの選択などを進めることができる。
【００３１】
その後、サーバの管理者またはユーザＵ１〜Ｕ４は、この付加画像に基づく現実のグリーティングカードを作成し、対象のユーザＵ５に送付する。あるいは、サーバの管理者またはユーザＵ１〜Ｕ４は、対象のユーザＵ５に対して、上記付加画像に基づくグリーティングカード画像をウェブ上で再生するためのＵＲＬを送付する。
【００３２】
そして、上記対象のユーザＵ５が、この現実のグリーティングカードをカメラで撮影すると、ＡＲ技術により、表示画面内において、付加画像がグリーティングカード上で動き出す。あるいは、対象のユーザＵ５が、上記送付されたウェブページにアクセスすると、上記付加画像に基づくグリーティングカード画像がウェブ上で再生される。
【００３３】
その後、対象のユーザＵ５は、表示画面をタップ等することにより、ユーザＵ１〜Ｕ４、および対象のユーザＵ５がチャット可能なチャットルームへと移動し、互いにメッセージを送受信することができる。
【００３４】
このように、本発明の画像処理プログラム、画像処理方法および情報処理装置の一実施態様によれば、グリーティングカードを贈る側が、ＡＲ技術を利用して再生される付加画像を自由にカスタマイズすることにより、既製品の現実のグリーティングカードよりも、バリエーション豊かなオリジナルのグリーティングカードを作成することができる。
【００３５】
続いて、本発明の情報処理装置１００の構成について詳細に説明する。
図３は、本発明の情報処理装置の模式的なブロック図の一例を示したものである。
【００３６】
図３に示すように、本発明の情報処理装置１００は、記憶部１０と、画像入力受付部２０と、付加画像作成部３０と、通信部４０とを備える。
【００３７】
通信部４０は、ネットワーク３００を介して、図１に示すネットワーク３００に接続されているユーザ端末２００と通信を実行する機能を有する。
【００３８】
そして、記憶部１０は、情報処理装置１００が動作する上で必要とする各種プログラムならびにデータを記憶する機能を有する。記憶部１０は、情報を記憶する機能を備えていればよく、例えば、ＨＤＤ（Hard Disc Drive）、ＳＳＤ（Solid State Drive）、フラッシュメモリ等の各種記録媒体により実現することができる。
【００３９】
上記記憶部１０は、基本画像を記憶する。
【００４０】
上記基本画像は、ユーザのアバターとすることもできるし、１以上の所定のテーマを有する背景画像を含むこともできる。
【００４１】
上記ユーザのアバターは、ユーザの分身となるキャラクタであって、人間、動物、ロボットなど、種々の形態を表したものとすることができる。また、上記アバターは、後述する合成用画像を合成するための合成用部分を有しているのが好ましい。例えば、人間の顔の部分のみを、合成用部分としておくことができる。
【００４２】
上記所定のテーマは、季節、誕生日、ハロウィン、入学、卒業、クリスマス、または、お正月などのテーマとすることができる。
【００４３】
上記背景画像は、上記テーマを連想させる文字および／または図柄を含む画像とすることができる。具体的には、図４に示すように、ハロウィンを連想させる文字として「Happy Halloween」を、ハロウィンを連想させる図柄として、カボチャやおばけの図柄を含むことができる。また、上記背景画像は、後述する合成用画像を合成するための合成用部分を有しているのが好ましい。
【００４４】
このように、記憶部１０は、基本画像として、ユーザのアバター、および／または、誕生日のテーマを有する背景画像、ハロウィンのテーマを有する背景画像、入学のテーマを有する背景画像などの１以上の背景画像を記憶することができる。
【００４５】
上記画像入力受付部２０は、１以上のユーザのユーザ端末２００からの合成用画像の入力を受け付ける。
【００４６】
上記ユーザ端末２００とは、パーソナルコンピュータであって、通信機能を有するものであれば特に限定されないが、本アプリの操作を容易にするため、タッチパネルを有するタブレット端末やスマートフォン等とすることができる。
【００４７】
上記合成用画像とは、各ユーザを特定できる画像とすることができる。具体的には、ユーザの顔写真とするのが好ましい。なお、この顔写真は、ユーザ端末２００でアップロードの際に撮影されたものでもよいし、予め撮影されてユーザ端末に保存されているものとすることもできる。また、他のＳＮＳなどに登録された画像とすることもできる。
【００４８】
上記付加画像作成部３０は、記憶部１０により記憶された基本画像、および、画像入力受付部３０により受け付けられた合成用画像を合成して付加画像を作成する。
【００４９】
上記付加画像は、対象物を所定の端末の撮像装置で撮影した際に、該端末の表示画面に、該撮影された対象物に重ねて表示されるものである。
【００５０】
上記対象物は、例えば、グリーティングカード、絵本、ポスターなどの印刷物とすることができる。
【００５１】
上記グリーティングカードとは、ユーザから対象ユーザに対して贈られる現実のカードとすることができる。このカードは、例えば、現実のグリーティングカードを販売する店から購入したグリーティングカードをユーザが対象ユーザに郵送等により送付してもよいし、あるいは、サーバの管理者が対象ユーザに送付することもできる。そして、このグリーティングカードには、付加画像が保存されたＵＲＬにアクセスするためのコード（ＱＲコード（登録商標）、バーコード等）、および、上記付加画像を再生する位置を決めるためのＡＲマーカーが印刷されているものとすることができるが、これに限られず、マーカーレス型のＡＲ技術を利用することもできる。
【００５２】
上記所定の端末は、スマートデバイスまたはヘッドマウントディスプレイとすることができる。
【００５３】
上記スマートデバイスは、例えば、スマートフォンやタブレットのようなタッチパネル式の通信機器などとすることができる。
【００５４】
上記ヘッドマウントディスプレイは、例えば光透過型のディスプレイ装置とすることができる。
【００５５】
上記撮像装置は、上記所定の端末が備えるカメラとすることができる。
【００５６】
上記基本画像と合成用画像との合成は、例えば、図５に示すように、上述したアバターまたは背景画像の合成用部分に、合成用画像をはめ込むことにより行うことができる。また、二次元の顔写真を三次元に変換し、三次元の付加画像を作成することもできる。詳細については後述する。
【００５７】
上記付加画像作成部３０は、さらに、上記顔写真に写ったユーザの表情を、合成対象である背景画像が有するテーマに基づいて変化させることができる。
【００５８】
具体的には、付加画像作成部３０は、顔写真に対して画像解析を行い、目、鼻、口、耳、輪郭などの各パーツに分類する。そして、パーツごとに変形させたり、色を変更したり、別のパーツと交換したりなどすることができる。その場合の変更パラメータは適宜ランダムに選択してもよいし、予め定められたアルゴリズムに従って、加工することとしてよい。顔画像の加工技術については、従来からある技術を適用することができる。
【００５９】
上記処理によれば、例えば、背景画像のテーマがハロウィンである場合、顔写真に写った顔を変形させてゾンビの顔とすることもできる。
【００６０】
そして、上記付加画像は、ＡＲ技術を用いて、対象物に付加される画像とすることができる。
【００６１】
このように、本発明の情報処理装置によれば、ユーザが、ＡＲ技術を利用して再生される付加画像を自由にカスタマイズすることができる。また、対象物がグリーティングカードである場合には、グリーティングカードを贈る側が、ＡＲ技術を利用して再生される付加画像を自由にカスタマイズすることにより、既製品の現実のグリーティングカードよりも、バリエーション豊かなオリジナルのグリーティングカードを作成することができる。
【００６２】
上記ユーザが複数であり、本発明の情報処理装置１００は、図４に示すように、さらに、複数のユーザＵ１〜Ｕ４が互いに意思伝達を行うことができるチャット機能を実現させるチャット部を備えることができる。
【００６３】
上記チャット機能によれば、複数のユーザは、チャットにより会話をしながら、上記顔写真のアップロードやテーマの選択などを進めることができるので、作成をスムーズに進めることができる。
【００６４】
また、上記対象物が、ユーザから対象のユーザに贈られるものである場合には、本発明の情報処理装置１００は、さらに、図６に示すように、ユーザＵ１〜Ｕ４および上記対象ユーザＵ５が互いに意思伝達を行うことができるチャット機能を実現させるチャット部を備えることができる。
【００６５】
上記チャット機能によれば、複数のユーザおよび対象ユーザは、チャットにより会話をしながら、感謝を述べたり、気持ちを伝えたりすることができる。
【００６６】
本発明の情報処理装置１００は、さらに、テーマ選択受付部を備えることができる。
【００６７】
上記テーマ選択受付部は、ユーザによる、上記所定のテーマからの一のテーマの選択を受け付ける。
【００６８】
上記所定のテーマとは、上述した通り、季節、誕生日、ハロウィン、入学、卒業、クリスマス、または、お正月などのテーマとすることができる。
【００６９】
そして、付加画像作成部３０は、上記テーマ選択受付部により受け付けられた一のテーマを有する背景画像、および、上記画像入力受付機能により受け付けられた合成用画像を合成して付加画像を作成することができる。
【００７０】
上記構成によれば、ユーザは、季節やイベントに応じた対象物を作成することができる。
【００７１】
上記合成用画像が二次元画像であり、付加画像作成部３０は、さらに、上記二次元画像を、三次元画像にする三次元化処理を行うことができる。
【００７２】
この三次元化処理は、例えば、ポリゴンベースの３Ｄデータにテクスチャマッピングを施すことにより行うことができる。
【００７３】
これにより、２Ｄの付加画像よりも視覚に効果的に訴えかける付加画像を作成することができる。
【００７４】
本発明の情報処理装置１００は、さらに、付加音声作成部を備えることができる。
【００７５】
上記付加音声作成部は、付加画像が上記対象物に重ねて表示される際に再生される音声を作成する。
【００７６】
上記音声は、例えば、ユーザによりアップロードされるものとすることもできるし、予め記憶部１０に記憶されているものとすることもできる。具体的には、上記音声は、「Happy Halloween」などの声や、音楽のＢＧＭなどとすることができる。
【００７７】
これにより、無音の付加画像よりも聴覚に効果的に訴えかける付加画像を作成することができる。
【００７８】
上記付加画像作成部３０は、上記付加画像を動画として作成することができる。
【００７９】
具体的には、付加画像に含まれるアバターを動かしたり、紙ふぶきを降らせたり、アバターの口を動かしたりなどのアクションを動画として作成することができる。
【００８０】
これにより、静止画の付加画像よりも視覚に効果的に訴えかける付加画像を作成することができる。
【００８１】
なお、本実施形態では、ＡＲ技術を利用した現実のグリーティングカードを一例に挙げて説明を行ったが（図７（ａ））、対象ユーザは、デジタルのグリーティングカードとしてブラウザ上で付加画像を再生することもできる（図７（ｂ））。
【００８２】
いずれの場合も、付加画像を表示する端末のタッチパネルをタップ等することにより、表示されたキャラクタが反応するようなインタラクティブな構成を採用することもできる。例えば、キャラクタをタップすることにより、キャラクタの動きや表情を変化させたり、録音されている音声を再生したりすることができる。
【００８３】
続いて、本発明の画像作成方法について図面を参照しながら説明する。
図８は、本発明の画像作成方法のフローを説明するためのフローチャートである。
【００８４】
図８に示すように、本発明の画像作成方法は、画像入力受付ステップＳ１１０と、付加画像作成ステップＳ１２０とを備える。
【００８５】
上記画像入力受付ステップＳ１１０は、画像入力受付手段が、１以上のユーザのユーザ端末からの合成用画像の入力を受け付ける。この画像入力受付手段は、上述した画像入力受付部２０により実現されることができる。詳細については上述した通りである。
【００８６】
上記付加画像作成ステップＳ１２０は、付加画像作成手段が、記憶手段により記憶された基本画像、および、上記画像入力受付ステップＳ１１０において受け付けられた合成用画像を合成して付加画像を作成する。この付加画像作成手段は、上述した付加画像作成部３０により実現されることができる。詳細については上述した通りである。
【００８７】
そして、上記付加画像は、対象物を所定の端末の撮像装置で撮影した際に、該端末の表示画面に、該撮影された対象物に重ねて表示されるものである。
【００８８】
最後に、本発明の画像作成プログラムについて説明する。
【００８９】
本発明の画像作成プログラムは、コンピュータに、記憶機能と、画像入力受付機能と、付加画像作成機能とを実現させることを特徴とする。
【００９０】
上記記憶機能は、基本画像を記憶する。この記憶機能は、上述した記憶部１０により実現されることができる。詳細については上述した通りである。
【００９１】
上記画像入力受付機能は、１以上のユーザのユーザ端末からの合成用画像の入力を受け付ける。この画像入力受付機能は、上述した画像入力受付部２０により実現されることができる。詳細については上述した通りである。
【００９２】
上記付加画像作成機能は、上記記憶機能により記憶された基本画像、および、上記画像入力受付機能により受け付けられた合成用画像を合成して付加画像を作成する。この付加画像作成機能は、上述した付加画像作成２０により実現されることができる。詳細については上述した通りである。
【００９３】
そして、上記付加画像は、対象物を所定の端末の撮像装置で撮影した際に、該端末の表示画面に、該撮影された対象物に重ねて表示されるものである。
【００９４】
上述したところは、代表的な実施形態の例を示したものであって、本発明はこの実施形態に限定されるものではない。
【符号の説明】
【００９５】
１００          情報処理装置
２００          ユーザ端末
３００          ネットワーク
１０          記憶部
２０          画像入力受付部
３０          付加画像作成部
４０          通信部
【図１】
2017085275.tif 000003
【図２】
2017085275.tif 000004
【図３】
2017085275.tif 000005
【図４】
2017085275.tif 000006
【図５】
2017085275.tif 000007
【図６】
2017085275.tif 000008
【図７】
2017085275.tif 000009
【図８】
2017085275.tif 000010